(57)【要約】【課題】就寝中に外れにくくかつ耳や頬等が痛くならない使用性に勝れた就寝用衛生マスクを提供する。【解決手段】鼻及び口を覆うための覆い部２と、後頭部に回して掛止させるための帯状の掛止帯３とからなり、上記覆い部２と掛止帯３とは、柔軟で通気性のあるシートにより全体として輪状をなすように形成され、上記掛止帯３の右半部３Ａと左半部３Ｂとにそれぞれ耳を露出させるための耳出し孔１０が複数形成されている。【選択図】図２
2011115463.tif 000002
【特許請求の範囲】
【請求項１】
鼻及び口を覆うための覆い部と、後頭部に回して掛止させるための一つに連なった帯状の掛止帯とからなり、
上記覆い部と掛止帯とは、柔軟で通気性のあるシートにより全体として輪状をなすように形成され、上記掛止帯の右半部と左半部とにそれぞれ耳を露出させるための耳出し孔が形成されていることを特徴とする就寝用衛生マスク。
【請求項２】
上記耳出し孔は、上記掛止帯の右半部と左半部とにそれぞれ複数形成されていることを特徴とする請求項１に記載の就寝用衛生マスク。
【請求項３】
上記耳出し孔は、上下方向に細長い孔形状を有していて、上端部をマスクの後方側に向けて傾斜していることを特徴とする請求項１又は２に記載の就寝用衛生マスク。
【請求項４】
上記覆い部の右半部と上記掛止帯の右半部とが第１シートで一連に形成されると共に、上記覆い部の左半部と上記掛止帯の左半部とが第２シートで一連に形成されていて、これら第１シートと第２シートとの両端の接合部は縫製されていることを特徴とする請求項１から３の何れかに記載の就寝用衛生マスク。
【請求項５】
上記シートは、編み生地で形成されることによって縦横両方向に伸縮自在であり、該シートの伸縮性と上記耳出し孔の変形とによって装着時のサイズが調整可能であることを特徴とする請求項１から４の何れかに記載の就寝用衛生マスク。
【発明の詳細な説明】
【技術分野】
【０００１】
本発明は、就寝時に使用する衛生マスクに関するものである。
【背景技術】
【０００２】
一般に衛生マスクは、病菌や塵埃あるいは花粉等の吸入を防止したり飛沫の飛散を防止するために使用されるもので、鼻及び口を覆う部分（覆い部）と、耳に掛けるための掛紐とからなっている。上記覆い部は、ガーゼや不織布等によって形成され、また掛紐は、細い紐材を輪状に折り曲げることにより形成されていて、上記覆い部の左右両端部にそれぞれ取り付けられている。
【０００３】
一方、就寝時に鼻や喉を保湿したり飛沫を防止する目的で使用される衛生マスクも市販されている。この就寝用の衛生マスクも、上記一般の衛生マスクと同様に、覆い部が薄地のガーゼや不織布等によって形成され、この覆い部に耳掛け用の掛紐が連結された構成を有しているものが殆どである。
【０００４】
しかし、就寝用の衛生マスクを耳掛けタイプにすると、寝返りを打った場合や蒲団に掛紐が引っ掛かった場合などに該掛紐が耳から外れ易く、また、掛紐による不規則な力が耳に作用して耳が痛くなったり、横向きに寝た場合に掛紐が頬に押し付けられて頬が痛いなどの欠点があった。
【発明の概要】
【発明が解決しようとする課題】
【０００５】
本発明の目的は、就寝中に外れにくくかつ耳や頬等が痛くならない使用性に勝れた就寝用衛生マスクを提供することにある。
【課題を解決するための手段】
【０００６】
上記目的を達成するため、本発明の就寝用衛生マスクは、鼻及び口を覆うための覆い部と、後頭部に回して掛止させるための一つに連なった帯状の掛止帯とからなり、上記覆い部と掛止帯とは、柔軟で通気性のあるシートにより全体として輪状をなすように形成され、上記掛止帯の右半部と左半部とにそれぞれ耳を露出させるための耳出し孔が形成されていることを特徴とするものである。
【０００７】
上記耳出し孔は、上記掛止帯の右半部と左半部とにそれぞれ複数形成されていることが望ましい。
また、上記耳出し孔は、上下方向に細長い孔形状を有していて、上端部をマスクの後方側に向けて傾斜していることが望ましい。
【０００８】
本発明において好ましくは、上記覆い部の右半部と上記掛止帯の右半部とが第１シートで一連に形成されると共に、上記覆い部の左半部と上記掛止帯の左半部とが第２シートで一連に形成されていて、これら第１シートと第２シートとの両端の接合部は縫製されていることである。
また、本発明によれば、上記シートが、編み生地で形成されることによって縦横両方向に伸縮自在であり、該シートの伸縮性と上記耳出し孔の変形とによって装着時のサイズが調整可能である。
【発明の効果】
【０００９】
本発明の衛生マスクは、掛止帯を後頭部に回して掛止させるようにしたので、耳掛けタイプと違って就寝時に外れることがなく、また、上記掛止帯に形成された複数の耳出し孔のうち、使用者の顔サイズに合った位置にある耳出し孔から耳を出せるようにしたので、顔に良くフィットして装着感が良く、位置ずれしたり耳が痛くなったりすることもなく、さらに、掛止帯が頬に圧接されて頬が痛くなったり頬に圧接痕が付くなどの不都合も生じない。
【図面の簡単な説明】
【００１０】
【図１】本発明に係る衛生マスクを扁平に畳んだ状態を示す側面図である。
【図２】本発明に係る衛生マスクを少し広げた状態を示す斜視図である。
【図３】図１のＡ−Ａ拡大断面図である
【図４】本発明に係る衛生マスクを使用している状態を示す側面図である。
【発明を実施するための形態】
【００１１】
図１〜図３は、本発明に係る就寝用衛生マスクの一実施形態を示すものである。この衛生マスク１は、図４からも分かるように、鼻及び口を覆うための覆い部２と、後頭部に回して掛止させるための一つに連なった帯状の掛止帯３とからなるもので、上記覆い部２と掛止帯３とは、柔軟で通気性のあるシートにより全体として輪状をなすように形成されている。
【００１２】
具体的に、上記衛生マスク１は、同形かつ同大に形成された２枚のシート４，５を互いに重ね合わせ、それらの前端部同士及び後端部同士をそれぞれ縫製で相互に接合することにより形成されており、該衛生マスク１の右半部を形成する第１シート４によって、上記覆い部２の右半部２Ａと上記掛止帯３の右半部３Ａとが一連に形成され、該衛生マスク１の左半部を形成する第２シート５によって、上記覆い部２の左半部２Ｂと上記掛止帯３の左半部３Ｂとが一連に形成されている。
【００１３】
上記縫製にはウーリーナイロン糸が用いられ、このウーリーナイロン糸で前後の接合部６，７がそれぞれロック縫製されることにより、該接合部６，７の外面に縫い目が表れると共に、該接合部６，７の端縁がほつれないように仕上げられている。
【００１４】
図１に示すように、上記第１シート４及び第２シート５は、覆い部２を形成する前端側の上下幅が広く、掛止帯３となる後端側に向けて次第に上下幅が狭くなっている。
また、両シート４，５の上縁８は、上記覆い部２の部分で下向きに窪んだ形に湾曲し、両シート４，５の下縁９は、上記覆い部２の部分で下方に突き出した形に湾曲している。これらの上縁８及び下縁９は、後述する耳出し孔１０の内周縁と共に、切断状態のまま、縢りなどの縁処理は行われていない。したがってマスクの縁に縁処理による凹凸がないため、顔面に凹凸が圧接されることによる不快感がないだけでなく、圧接痕も付かない。
【００１５】
上記両シート４，５の前端縁即ち前方の接合部６は、全体として前方に突出する形に湾曲している。しかし、その湾曲の度合いは一律ではなく、鼻を覆う上端部分６ａが鼻筋の傾斜に合わせて大きく後方に傾斜し、中間部分６ｂは緩やかに傾斜し、下端部分６ｃは、顎に適合するよう中間部分６ｂよりやや大きく傾斜している。
上記接合部６をこのような形に形成することにより、図４に示すように、衛生マスク１の使用時に、覆い部２が顔面の鼻及び口の部分に良好にフィットすると共に、鼻の下に傾斜の緩い上記中間部分６ｂによって保湿のための空間Ｇが形成されることになる。
【００１６】
一方、上記両シート４，５の後端縁即ち後方の接合部７は、使用者の後頭部に沿うように直線的な形状を成していて、その上下幅は上記前方の接合部６の上下幅Ｌ２の約１／２程度である。
【００１７】
上記掛止帯３には、その右半部３Ａと左半部３Ｂとの相対する位置に、左右の耳を露出させるための耳出し孔１０がそれぞれ形成されている。図１に示すように、上記耳出し孔１０は、上下方向に細長い孔形状を有していて、孔の上端部をマスクの後方側に向けて傾斜した状態に形成されている。また、上記耳出し孔１０は、掛止帯３の右半部３Ａと左半部３Ｂとにそれぞれ複数（図示の実施例では２つ）形成され、これら複数の耳出し孔１０が掛止帯３の前方側と後方側とに並んでほぼ平行に配置されており、マスク使用者の顔サイズに合わせて何れか一つを選択的に使用できるようになっている。
【００１８】
このような耳出し孔１０を形成することにより、上記掛止帯３を後頭部に回して掛止させたときにこの耳出し孔１０から耳を外部に露出させることができ、該掛止帯３の内側で耳が側頭部に押し付けられて痛くなるようなことがない。また、該掛止帯３が耳に掛止するため、該掛止帯３の上下へのずれ動きが抑止される。
さらに、使用者の顔サイズに合わせて何れかの耳出し孔１０を選択することにより、マスク装着時の締め付け感を調整してフィット性を高めることも可能である。マスク装着時の締め付け感は、上記耳出し孔１０を形成する位置や、耳出し孔相互の間隔等を適宜設定することにより、調整することができる。
【００１９】
上記シート４，５は、編み生地で形成することによって縦横両方向に伸縮自在であることが望ましい。このように伸縮自在のシート４，５を用いて衛生マスク１を形成することにより、その伸縮性と上記耳出し孔１０の変形とによってマスク装着時のサイズ及び締め付け感が自動的かつ良好に調整される。また、上記シート４，５が顔面形状に応じて縦横方向に自在に変形することにより、様々な顔面形状に対して衛生マスク１をソフトに軽くしかもしっかりとフィットさせることができる。このため、従来の綿や不織布製の伸縮性に乏しいマスクに比べて使用性が格段に勝れる。
【００２０】
このように形成された衛生マスク１は、図４に示すように、上記覆い部２で鼻及び口を覆い、上下幅の広い帯状の掛止帯３を後頭部に回して掛止させることにより使用する。このため、細い輪状の紐を両耳に掛ける耳掛けタイプと違い、就寝時に外れることがなく、上記掛止帯３が頬に圧接されて頬が痛くなったり、頬に圧接痕が付くなどの不都合も生じない。
また、上記掛止帯３に形成された複数の耳出し孔１０のうち、使用者の顔サイズに合った位置にある耳出し孔から耳を出せるので、顔に良くフィットして装着感が良く、耳が痛くなることもない。
【００２１】
なお、上記衛生マスク１のサイズは、使用者の顔の大きさや形状等によって異なるが、大人用マスクでは、通常、図１のように折り畳んだ状態で前後方向長さＬ１が約２３０ｍｍ前後、上下幅Ｌ２が約１３０ｍｍ前後、耳出し孔１０の長さＬ３が約６０ｍｍ前後に形成され、子供用マスクでは、前後方向長さＬ１が約１９５ｍｍ前後、上下幅Ｌ２が約１０５ｍｍ前後、耳出し孔１０の長さＬ３が約５０ｍｍ前後に形成される。
【００２２】
また、上記耳出し孔１０は、必ずしも各シート４，５に２つずつ形成されている必要はなく、１つであっても良く、あるいは、覆い部２の被覆性や掛止帯３の強度等に支障をきたさない範囲であれば、３つ以上形成されていても良い。
【００２３】
さらに、本実施形態では、上記第１シート４と第２シート５とを個別に形成して一体に接合しているが、両シート４及び５は一連のものであっても良い。例えば、一枚のシート材によって両シート４及び５が後方の接合部７で一体に連なった形のものを形成し、それを該後方の接合部７で２つに折り曲げた状態に重ね合わせ、該後方の接合部７と前方の接合部６とを縫製しても良い。
【符号の説明】
【００２４】
１      衛生マスク
２      覆い部
２Ａ      右半部
２Ｂ      左半部
３      掛止帯
３Ａ      右半部
３Ｂ      左半部
４      第１シート
５      第２シート
６，７      接合部
１０      耳出し孔
【図１】
2011115463.tif 000003
【図２】
2011115463.tif 000004
【図３】
2011115463.tif 000005
【図４】
2011115463.tif 000006